(57)【要約】      （修正有）【課題】電装室に設けられた高圧トランスの周囲で発生する磁気場によりキャビネットの側面板が揺れることを防止する電子レンジを提供する。【解決手段】キャビネット５０の側面板５６の内側には、高圧トランス６８の周囲で発生する磁気場により側面板が揺れることを防止する防振板７０が設けられる。防振板は電装室５９の後壁５９ａから延長され、高圧トランスと側面板との間に側面板に隣接して配置される。防振板は後壁と一体的に形成されて単一構造をなし、側面板にネジで結合される。防振板は強度を補強するためエンボスを有し、方形を有する。【選択図】図２
2004221058.tif 000002
【特許請求の範囲】
【請求項１】
側面板を有するキャビネットと、側面が前記側面板で覆われ、内部にマグネトロン及び高圧トランスが設けられた電装室とを有する電子レンジにおいて、
前記高圧トランスの周囲で発生する磁気場により前記側面板が揺れることを防止するため、前記側面板の内側の所定位置に設けられた防振板を含んでなることを特徴とする電子レンジ。
【請求項２】
前記電装室は後壁をさらに含み、前記防振板は、前記高圧トランスと前記側面板との間に前記側面板に隣接して配置されるように、前記電装室の後壁から延長されることを特徴とする請求項１に記載の電子レンジ。
【請求項３】
前記防振板は前記電装室の後壁と一体的に形成されて単一構造をなすことを特徴とする請求項２に記載の電子レンジ。
【請求項４】
前記防振板は前記側面板にネジで結合されることを特徴とする請求項２に記載の電子レンジ。
【請求項５】
前記防振板は強度を補強するためエンボスを有し、方形を有することを特徴とする請求項１に記載の電子レンジ。
【請求項６】
前記防振板は前記側面板にネジで結合されることを特徴とする請求項３に記載の電子レンジ。
【請求項７】
前記防振板は前記電装室の後壁一辺部の下部に前記電装室の後壁に対して直角に一体的に形成されることを特徴とする請求項１に記載の電子レンジ。
【請求項８】
前記防振板は前記高圧トランスと前記側面板との間に配置されるように前記電装室の後壁から前方に延長されることを特徴とする請求項１に記載の電子レンジ。
【請求項９】
前記防振板は、前記側面板の強度を補強するため、前記高圧トランスと対向する位置に前記側面板に固着されることを特徴とする請求項１に記載の電子レンジ。
【請求項１０】
前記防振板は、前記高圧トランスの周囲で発生する磁気場により前記側面板から振動及び騒音が発生することを防止することを特徴とする請求項１に記載の電子レンジ。
【請求項１１】
前記防振板及び前記側面板は単一構造部として設けられることを特徴とする請求項１に記載の電子レンジ。
【請求項１２】
側面板を有するキャビネットと、前記側面板の周囲に配設された一つ以上の振動発生装置とを有する電子レンジにおいて、
前記振動発生装置の振動により前記側面板が振動することを防止するため、前記側面板の内側の所定位置に設けられた防振ユニットを含んでなることを特徴とする電子レンジ。
【請求項１３】
前記電装室は後壁をさらに含み、前記防振ユニットは、前記振動発生装置と前記側面板との間に前記側面板に隣接して配置されるように、前記後壁から延長されることを特徴とする請求項１２に記載の電子レンジ。
【請求項１４】
前記防振ユニットは前記電装室の後壁と一体的に形成されて単一構造をなすことを特徴とする請求項１３に記載の電子レンジ。
【請求項１５】
前記防振ユニットは前記側面板にネジで結合されることを特徴とする請求項１３に記載の電子レンジ。
【請求項１６】
前記防振ユニットは強度を補強するためエンボスを有し、方形を有することを特徴とする請求項１２に記載の電子レンジ。
【請求項１７】
前記防振ユニットは前記電装室の後壁一辺部の下部に前記後壁に対して直角に一体的に形成されることを特徴とする請求項１２に記載の電子レンジ。
【請求項１８】
前記防振ユニットは前記振動発生装置と前記側面板との間に配置されるように前記後壁から前方に延長されることを特徴とする請求項１２に記載の電子レンジ。
【請求項１９】
前記防振ユニットは、前記側面板の強度を補強するため、前記振動発生装置と対向する位置に前記側面板に固着されることを特徴とする請求項１２に記載の電子レンジ。
【請求項２０】
前記防振ユニットは、前記振動発生装置により側面板から振動及び騒音が発生することを防止することを特徴とする請求項１２に記載の電子レンジ。
【請求項２１】
前記防振ユニット及び前記側面板は単一構造部として設けられることを特徴とする請求項１２に記載の電子レンジ。
【請求項２２】
側面板を有するキャビネットと、前記側面板の周囲に設けられた一つ以上の振動発生装置とを有する電子レンジにおいて、
前記振動発生装置の振動により前記側面板が振動することを防止するため、前記側面板の内側の所定位置に設けられたエンボスを有する補強ユニットを含んでなることを特徴とする電子レンジ。
【発明の詳細な説明】
【技術分野】
【０００１】
本発明は電子レンジに係り、より詳しくは電装室に設けられた高圧トランスの周囲に、磁気場によりキャビネットの側面板が振動することを防止するための防振板を備えた電子レンジに関するものである。
【背景技術】
【０００２】
一般に、電子レンジは電装室に設けられたマグネトロンから発生する高周波を用いて、調理室内に置かれた飲食物を調理するか或いは暖める機器であって、高周波を調理室の内部に照射して、飲食物に含有された水分の分子配列を繰り返し変換させることにより発生する分子間の摩擦熱で飲食物を調理する。この電子レンジのうちには、厨房の流し台の周囲に配置され、単に調理機能のみを行うタイプと、厨房の壁面に装着され、高周波による調理機能を行うとともに、その下部に配置されたオーブンレンジから発生する排気ガス、煙、飲食物臭いなどを外部へ排出させる排気機能を行う壁掛け型タイプとがある。
【０００３】
本発明は通常の電子レンジ及び壁掛け型電子レンジに共に適用することができるが、本実施例においては、便宜上壁掛け型電子レンジに適用したものを例として説明する。
【０００４】
図１は従来の壁掛け型電子レンジの概略構造を示すものである。同図に示すように、従来の壁掛け型電子レンジは外観をなすキャビネット１と、該キャビネット１の内部に画成された調理室１１及び電装室１２とを備えている。
【０００５】
調理室１１と電装室１２の下部及び後部には、キャビネット１の下方に配置されたオーブンレンジ（図示せず）から発生する排気ガス、煙などを室外へ排出させるために案内する排気通路１３が形成され、キャビネット１の後部上側には、排気通路１３に案内されたガス、煙を吸入して外部へ排出させるため、ファンモータ１４と、該ファンモータ１４の両端に結合された１対の排気ファン１５とが設けられる。
【０００６】
キャビネット１は前面板２、底板４、上面板５、及び両側面板６、７を備えてなる。前記前面板２、後面板３及び底板４は比較的厚い鉄板が互いに連結され、その内部に調理室１１と電装室１２が形成されるように構成され、前記上面板５と両側面板６、７は比較的薄い鉄板の両辺部を直角に折り曲げて一体に形成され、前記前面板２、後面板３及び底板４の上部及び両側を覆うように構成される。
【０００７】
電装室１２には、マグネトロン２１、高圧トランスなどのような電装品と、前記電装品を冷却させるための冷却ファン１６とが設けられている。高圧トランス２２は電装室１２の底面に配置され、前記マグネトロン２１は電装室１２の上部に配置される。
【０００８】
したがって、マグネトロン２１、高圧トランス２２などの電装品に電流が供給されると、マグネトロン２１から高周波が発生して調理室１１に照射されることにより、調理室１１内の飲食物を調理することになる。
【０００９】
しかし、前記のように構成される従来の電子レンジは、キャビネット１の上面板５と両側面板６、７が薄い鉄板から一体的になされ、前記右側面板７が前記電装室１２の側面を遮る構造を有するため、電装室１２に設けられた電装品の作動時に発生する磁気場の影響を受けて右側面板７が振動し、よって騒音も発生する欠点がある。
【００１０】
すなわち、マグネトロン２１と高圧トランス２２に電流が印加されると、高圧トランス２２の周囲に強い磁気場が形成され、この磁気場により薄い右側面板７が揺れて騒音が発生する。
【発明の開示】
【発明が解決しようとする課題】
【００１１】
本発明は前述した従来技術の問題点を解決するためになされたもので、本発明の目的は電装室に配設された高圧トランスの周囲で発生する磁気場によりキャビネットの側面板が揺れないようにした電子レンジを提供することにある。
【課題を解決するための手段】
【００１２】
前記目的を達成するため、本発明は側面板を有するキャビネットと、側面が前記側面板で覆われ、内部にマグネトロン及び高圧トランスが設けられた電装室とを有する電子レンジにおいて、前記高圧トランスの周囲で発生する磁気場により前記側面板が揺れることを防止するため、前記側面板の内側の所定位置に設けられた防振板を含んでなる電子レンジを提供する。
【００１３】
前記電装室は後壁をさらに含み、前記防振板は、前記高圧トランスと前記側面板との間に前記側面板に隣接して配置されるように、前記電装室の後壁から延長される。
【００１４】
前記防振板は前記電装室の後壁と一体的に形成されて単一構造をなす。
【００１５】
前記防振板は前記側面板にネジで結合される。
【００１６】
前記防振板は強度を補強するためエンボスを有し、方形を有する。
【発明の効果】
【００１７】
本発明による電子レンジは、高圧トランスと対向するキャビネットの側面板の内側に防振板を配設して、高圧トランスの周囲で形成する磁気場によりキャビネットの側面板から振動及び騒音が発生することを防止する効果がある。
【００１８】
また、本発明による電子レンジは、キャビネットの側面板から振動が発生することを防止する防振板が電装室の後面板と一体的に成形される構造を有するため、防振板を別に製作する必要がない効果がある。
【発明を実施するための最良の形態】
【００１９】
以下、添付図面に基づいて本発明の好ましい実施例を詳細に説明する。
図２は本発明による電子レンジの概略構造を示す斜視図であり、図３は図２に示す防振板がキャビネットの側面板に結合されたものを示す部分切開斜視図である。
【００２０】
図２に示すように、本発明による壁掛け型電子レンジは、前面板５１及び底板５３と、前記前面板５１、後面板５２及び底板５３間の上部及び両側面を覆う上面板５４と、両側面板５５、５６とから箱状に形成されたキャビネット５０により外観をなす。
【００２１】
前記前面板５１、後面板５２及び底板５３は比較的厚く形成されて強度が高くなり、この内部に調理室５８と電装室５９が区画される。
【００２２】
一方、前記上面板５４と両側面板５５、５６は、製作及び組立を容易にするため、比較的薄い鉄板の両辺部を直角に折り曲げて作る。したがって、前記上面板５４と両側面板５５、５６は比較的衝撃及び振動に脆弱である。
【００２３】
底板５３の両側には、下方のオーブンレンジ（図示せず）から発生する排気ガスと飲食物臭いなどをキャビネット５０内に流入するための吸入口６１が形成され、キャビネット５０の上部には、キャビネット５０の内部に流入した排気ガスを外部へ排出するための排出口６２が形成される。
【００２４】
また、前記吸入口６１と排出口６２は調理室５８と電装室５９の後面とキャビネット５０の後面板５２及び上面板５４との間に形成された排気通路６３を介して連通されるので、吸入口６１に流入した排気ガスは排気通路に沿って排出口６２に排出される。前記排出口６２には、吸入口６１を通じて流入する排気ガスを吸入するため、一つのファンモータ６４と該ファンモータ６４の両端に結合された一対の排気ファン６５とが配設される。
【００２５】
区画壁６６により調理室５８から隔離された電装室５９には、高周波を発生させるマグネトロン６７及び高圧トランス６８と、前記マグネトロン６７及び高圧トランス６８を冷却させる冷却ファン６９とが設けられる。前記冷却ファン６９は電装室５９の前方に設けられ、前記マグネトロン６７は区画壁６６の上部に設けられ、前記高圧トランス６８は電装室５９の底面に設けられる。
【００２６】
電装室５９の後面板５９ａには、電装室５９に設けられた電装品により形成される磁気場によりキャビネット５０の側面板５６から振動及び騒音が発生しないようするため、本発明の特徴である防振板７０が設けられている。
【００２７】
前記防振板７０は、電装室５９の後面板５９ａの下端部と一体的に成形されほぼ直角に折曲されて作られる。したがって、前記防振板７０は電装室５９の後面板５９ａから前方に延長され、電装室５９の底面に設けられた高圧トランス６８とキャビネット５０の右側面板５６との間に配設される。
【００２８】
図３に示すように、防振板７０の表面には、強度をさらに増大させるため、エンボス７１が形成され、防振板７０の中心にはネジ孔７２が形成される。前記防振板７０のネジ孔７１に対応して、キャビネット５０の側面板５６にもネジ孔５６ａが形成されるので、防振板７０はキャビネット５０の側面板５６の内側面に隣接したままでネジ７３によりキャビネット５０の側面板５６に固定される。
【００２９】
前記のように、キャビネット５０の側面板５６の高圧トランス６８と対向する部分に防振板７０が固着されることにより、強度が補強される。
【００３０】
したがって、電子レンジが作動してマグネトロン６７、高圧トランス６８などの電装品に電流が供給されると、マグネトロン６７から高周波が発生して調理室５８に照射されることにより、調理室５８内の飲食物が調理される。こうしてマグネトロン６７と高圧トランス６８が作動すると、高圧トランス６８の周囲には強い磁気場が形成され、キャビネット５０の右側面板５６が磁気場の影響を受けて振動及び騒音を発生し得るが、右側面板５６の内側に本発明による防振板７０が配設されて強度が補強されるため、右側面板５６が揺れる現象が防止される。
【図面の簡単な説明】
【００３１】
【図１】従来技術による電子レンジの概略構造を示す斜視図である。
【図２】本発明による電子レンジの概略構造を示す斜視図である。
【図３】図２に示す防振板がキャビネットの側面板と結合された様子を示す部分切開斜視図である。
【符号の説明】
【００３２】
５０  キャビネット
５６  側面板
５９  電装室
５９ａ  後面板
６７  マグネトロン
６８  高圧トランス
７０  防振板
７１  エンボス
【図１】
2004221058.tif 000003
【図２】
2004221058.tif 000004
【図３】
2004221058.tif 000005